(57)【要約】  筐体内に給気用送風機と排気用送風機と熱交換器とが配置され、給気用送風機により筐体内に吸い込んだ外気と排気用送風機により筐体内に吸い込んだ室内空気との間で熱交換器により熱交換を行いながら換気し、結露により生じた水を筐体内に溜めることができる熱交換換気装置を構成するにあたり、１つの開放面を有する箱体状に一体成形されたインナーハウジングと、該インナーハウジングでの開放面側に配置されたドレンパン部とを用いて筐体を構成することで、部屋の天井および床下のいずれに設置した場合でも漏水を防止することができるようにする。
2010125632.tif 000002
【特許請求の範囲】
【請求項１】
室外側吸込部、室内側吹出部、室内側吸込部、および室外側吹出部が設けられた筐体内に給気用送風機と排気用送風機と熱交換器とが配置され、前記給気用送風機により前記室外側吸込部から前記筐体内に吸い込んだ外気と前記排気用送風機により前記室内側吸込部から前記筐体内に吸い込んだ室内空気との間で前記熱交換器により熱交換を行いながら換気し、結露により生じた水を前記筐体内に溜めることができる熱交換換気装置であって、
前記筐体は、
１つの開放面を有する箱体状に一体成形されたインナーハウジングと、
該インナーハウジングでの前記開放面側に配置されたドレンパン部と、
を有し、
該ドレンパン部を下にして設置可能であると共に前記ドレンパン部を上にして部屋の床下に設置可能であることを特徴とする熱交換換気装置。
【請求項２】
前記インナーハウジングは、前記開放面と互いに対向する背面部を下にして設置したときに凹形状を呈するハウジング側保水部を前記背面部に有することを特徴とする請求項１に記載の熱交換換気装置。
【請求項３】
前記インナーハウジングの背面部には、部品側取付け部または部品取付け用ねじが挿入される取付け穴が形成されており、
前記ハウジング側保水部は前記取付け穴の周囲に形成されており、
前記背面部での前記取付け穴の外周部は開放面側に突起している、
ことを特徴とする請求項２に記載の熱交換換気装置。
【請求項４】
前記部品側取付け部は筒形状を呈するねじ受けであり、該ねじ受けの一端側は前記取付け穴に挿入されることを特徴とする請求項３に記載の熱交換換気装置。
【請求項５】
前記インナーハウジングの側壁部に取り付けられて該インナーハウジング内に連通するドレン水排出部を更に有することを特徴とする請求項１に記載の熱交換換気装置。
【請求項６】
前記給気用送風機および前記排気用送風機の各々はモータ駆動型の送風機であり、
前記給気用送風機のモータおよび前記排気用送風機のモータの各々は、前記インナーハウジングおよび前記ドレンパン部のいずとも離隔している、
ことを特徴とする請求項１に記載の熱交換換気装置。
【発明の詳細な説明】
【技術分野】
【０００１】
本発明は、給排気による換気と並行して給排気間での熱交換を行う熱交換換気装置に関するものである。
【背景技術】
【０００２】
熱交換換気装置は、給気用送風機により筐体内の給気風路に吸い込んだ室外空気を室内に吹き出し、排気用送風機により筐体内の排気風路に吸い込んだ室内空気を室外に排気して換気を行うと共に、給気風路を流れる室外空気（給気）と排気風路を流れる室内空気（排気）との間で熱交換器により熱交換を行う。外気温が室内の温度より低いときには室内空気から熱を奪って暖まった外気が室内に給気され、外気温が室内の温度より高いときには室内空気により熱を奪われて冷えた外気が室内に給気されるので、低コストで空気調和を行うことができる。【０００３】
通常、熱交換換気装置は部屋の天井に設置され、そのメインテナンスは室内側から行われる。このため、メインテナンスが必要な部品、例えば空気中の塵埃を除去するためのフィルター等は、熱交換換気装置の下部に配置される。また、室外空気および室内空気の一方が他方により冷やされて生じた水を受けるドレンパンも、熱交換換気装置の下部に配置される。そして、熱交換換気装置では、例えば特許文献１に記載された熱交換換気装置におけるように、天面部と２つの側板部とが一体成形された本体ケーシングと、該本体ケーシングに取り付けられる２つの側板と、本体ケーシングに取り付けられる底板部とを用いて筐体が構成される。
【先行技術文献】
【特許文献】
【０００４】
【特許文献１】特開２００３−７４９３６号公報
【発明の概要】
【発明が解決しようとする課題】
【０００５】
部屋の天井に設置された熱交換換気装置のメインテナンス作業は、台に登って行う等、不安定な状態で行われることがあるので、近年では、床面からメインテナンス作業を行うことができるように床下に熱交換換気装置を設置したいとの要望がある。従来の熱交換換気装置では、メインテナンスが必要な部品が上述のように装置の下部に配置されるので、床下に設置する場合には、天井に設置する場合とは天地を逆にして設置した方がメインテナンス作業が容易になる。【０００６】
しかしながら、天地を逆にして従来の熱交換換気装置を設置すると、ドレンパンが筐体内上部に位置することになって実質的に機能しなくなる。このため、室外空気および室内空気の一方が他方により冷やされて生じた水が筐体内に溜まり、やがて本体ケーシングと側板との間から装置外に漏れだして建物に害を与えることがある。【０００７】
本発明は上記の事情に鑑みてなされたものであり、部屋の天井および床下のいずれに設置した場合でも漏水を防止することができる熱交換換気装置を得ることを目的とする。
【課題を解決するための手段】
【０００８】
本発明の熱交換換気装置は、室外側吸込部、室内側吹出部、室内側吸込部、および室外側吹出部が設けられた筐体内に給気用送風機と排気用送風機と熱交換器とが配置され、給気用送風機により室外側吸込部から筐体内に吸い込んだ外気と排気用送風機により室内側吸込部から筐体内に吸い込んだ室内空気との間で熱交換器により熱交換を行いながら換気し、結露により生じた水を筐体内に溜めることができる熱交換換気装置であって、筐体は、１つの開放面を有する箱体状に一体成形されたインナーハウジングと、インナーハウジングでの開放面側に配置されたドレンパン部とを有し、ドレンパン部を下にして設置可能であると共にドレンパン部を上にして設置可能であることを特徴とする。
【発明の効果】
【０００９】
本発明の熱交換換気装置では、１つの開放面を有する箱体状に一体成形されたインナーハウジングと、インナーハウジングでの開放面側に配置されたドレンパン部とを用いて筐体が構成されているので、ドレンパン部を下にして設置した場合、およびドレンパン部を上にして設置した場合のいずれにおいても、結露により筐体内に生じた水をインナーハウジングとドレンパン部とのいずれかで保水することができる。したがって、本発明の熱交換換気装置では、部屋の天井および床下のいずれに設置した場合でも漏水を防止することができる。
【図面の簡単な説明】
【００１０】
【図１】図１は、本発明の熱交換換気装置の一例を概略的に示す部分分解斜視図である。
【図２】図２は、図１に示した熱交換換気装置を概略的に示す分解斜視図である。
【図３】図３は、図１および図２に示した熱交換換気装置を概略的に示す断面図である。
【図４】図４は、図１〜図３に示した熱交換換気装置での外気の流れと室内空気の流れとを示す模式図である。
【図５】図５は、図１〜図３に示した熱交換換気装置での外気の流れと室内空気の流れとを示す他の模式図である。
【図６】図６は、本発明の熱交換換気装置を構成するインナーハウジングの他の例を概略的に示す斜視図である。
【図７】図７は、図６に示したインナーハウジングを概略的に示す断面図である。
【図８】図８（ａ）は、図１に示した熱交換換気装置での部品側取付け部と取付け穴それぞれの形状の一例を概略的に示す断面図であり、図８（ｂ）は、図８（ａ）に示した部品側取付け部を取付け穴に取り付けた状態を概略的に示す断面図である。
【図９】図９は、本発明の熱交換換気装置の他の例を概略的に示す断面図である。
【図１０】図１０は、図９に示した熱交換換気装置を概略的に示す他の断面図である。
【図１１】図１１は、特許文献１の熱交換換気装置の一形態を概略的に示す分解斜視図である。
【発明を実施するための最良の形態】
【００１１】
以下、本発明の熱交換換気装置の実施の形態について、図面を参照して詳細に説明する。なお、本発明は下記の形態に限定されるものではない。【００１２】
図１は、本発明の熱交換換気装置の一例を概略的に示す部分分解斜視図である。同図に示す熱交換換気装置１１０は筐体４０、給気用送風機５０、排気用送風機６０、熱交換器７０、フィルターユニット９０、制御装置１００、および操作部（図示せず）を備え、給気用送風機５０により筐体４０内に吸い込んだ外気（給気）と排気用送風機６０により筐体４０内に吸い込んだ室内空気（排気）との間で熱交換器７０により熱交換を行いながら換気する。図１は、当該熱交換換気装置１１０を部屋の天井に設置して室内側からみた部分分解斜視図に相当する。以下、熱交換換気装置１１０の各構成要素について説明する。【００１３】
上記の筐体４０は、１つの開放面を有する箱体状のハウジング本体２５と、該ハウジング本体２５の側壁部に取り付けられた室外側吸込部２６ａ、室内側吹出部２６ｂ、室内側吸込部２７ａ、および室外側吹出部２７ｂの各々と、ハウジング本体２５での上記開放面側に取り付けられた底板部３０と、底板部３０の内面側に取り付けられ第１ドレンパン部３５とを有している。【００１４】
筐体４０を構成するハウジング本体２５の側壁部には室外側吸込口、室内側吹出口、室内側吸込口、および室外側吹出口（いずれも図１には現れていない）が設けられており、室外側吸込部２６ａは室外側吸込口に、室内側吹出部２６ｂは部室内側吹出口に、室内側吸込部２７ａは部室内側吸込口に、そして室外側吹出部２７ｂは室外側吹出口にそれぞれ連通している。室外側吸込部２６ａと室内側吸込部２７ａとが互いに略対向配置されており、室内側吹出部２６ｂと室外側吹出部２７ｂとが互いに略対向配置されている。これら各吸込部２６ａ，２７ａおよび各吹出部２６ｂ，２７ｂは、それぞれ別個のダクトに接続される。【００１５】
また、後述するインナーハウジングの保水部に連通する第１ドレン水排出部２９、およびハウジング本体２５を建物に固定するための計４個の固定用金具ＦＢも、当該ハウジング本体２５の側壁部に取り付けられている。ただし、図１には２個の固定用金具ＦＢのみが現れている。【００１６】
一方、筐体４０を構成する底板部３０は、第１ドレンパン部３５に連通する計２個の第２ドレン水排出部３０ａ，３０ａを有し、当該底板部３０の所定箇所には、後述するフィルターを筐体４０内に配置するための開口部３０ｂが形成されている。この底板部３０は、例えば合成樹脂により作製される。【００１７】
給気用送風機５０および排気用送風機６０の各々は、ハウジング本体２５での室内側吹出口と室外側吹出口との間に並列配置されて制御装置１００により動作制御される。ハウジング本体２５内での室内側に給気用送風機５０が、また室外側に排気用送風機６０が設けられている。図示の給気用送風機５０および排気用送風機６０の各々は片吸込み式のシロッコファン送風機であり、給気用送風機５０はその吸込み口を底板部３０とは反対の側に向け、排気用送風機６０はその吸込み口を底板部３０側に向けて配置されている。【００１８】
熱交換器７０は、熱交換素子６３と該熱交換素子６３を収容した枠体６５とを有しており、給気用送風機５０により筐体４０内に吸い込まれた外気と排気用送風機６０により筐体４０内に吸い込まれた室内空気との間で熱交換を行う。熱交換素子６３としては、例えば、シート状を呈する紙製の仕切部材と波形を呈する紙製の間隔保持部材とを交互に積層し、仕切部材とその下の間隔保持部材との間、および仕切部材とその上の間隔保持部材との間にそれぞれ空気の流路を複数形成した直交流型の全熱交換型、顕熱交換型、または潜熱交換型の素子が用いられる。枠体６５は、四角柱での天面および上面の各々を小口部として残すと共に高さ方向に延びる４つの稜の各々およびその近傍を残して肉抜きした形状を有する。【００１９】
上記の熱交換素子６３と枠体６５とを有する熱交換器７０は、熱交換素子６３が横臥した状態で、かつ、熱交換器７０をその長手方向（上記の小口部側）からみたときに対角線上にある２つの稜が鉛直方向に位置するようにして、ハウジング本体２５での室外側吸込口と室内側吸込口との間に配置されている。配置後の熱交換器７０を平面視したとき、該熱交換器７０で各送風機５０，６０側となる稜は各送風機５０，６０に接し、各送風機５０，６０とは反対側の稜は後述するフィルターユニット９０の第２保持枠８５に気密に接する。また、配置後の熱交換器７０をその小口部側から側面視したとき、上側の稜および下側の稜の各々は筐体４０の内面に気密に接する。熱交換器７０を筐体４０内の所定の位置に固定するために、第１固定部材７３と第２固定部材７５とが筐体４０内に取り付けられている。【００２０】
フィルターユニット９０は、熱交換器７０での外気の流入側に配置されて外気中の塵埃を除去するフィルターと、該フィルターを保持するフィルター保持枠と（いずれも図示せず）とを有し、底板部３０の開口部３０ｂから上記のフィルターを筐体４０内に挿入した状態で底板部３０に装着される。フィルターのメインテナンスの際にフィルターユニット９０を筐体４０から容易に取り外すことができるように、当該フィルターユニット９０には把持部９０ａが設けられている。【００２１】
制御装置１００は、筐体４０に装着されて給気用送風機５０、排気用送風機６０、および図示を省略した操作部の各々に電気的に接続され、ユーザが操作部から入力した指令に応じて給気用送風機５０および排気用送風機６０それぞれの動作を個別に制御する。上記の操作部は制御装置１００に有線接続または無線接続されて、制御装置１００の入出力装置として機能する。【００２２】
上述した構成要素を有する熱交換換気装置１１０は、筐体４０の構造に特徴を有しているので、以下、図２および図３を参照して筐体４０の構造を中心に熱交換器装置１１０の構造を詳述した後、図４および図５を参照して熱交換換気装置１１０での外気の流れと室内空気の流れを説明する。【００２３】
図２は、図１に示した熱交換換気装置を概略的に示す分解斜視図である。同図は、図１に示した熱交換換気装置１１０を部屋の天井に設置して室内側からみた分解斜視図に相当する。図２に示す構成要素のうちで図１を参照して既に説明した構成要素については、図１で用いた参照符号と同じ参照符号を付してその説明を省略する。【００２４】
図２に示すように、熱交換換気装置１１０の筐体４０は、アウターハウジング１０と、該アウターハウジング１０に収容されるインナーハウジング２０とを備えている。アウターハウジング１０は、ハウジング本体３と、該ハウジング本体３に取り付けられる２つの側板５，７とを有しており、底板部３０側が開放面となった箱体状を呈する。ハウジング本体３は、背面部３ａと２つの側板部３ｂ，３ｃとを有する板金成形体であり、各側板部３ｂ，３ｃは、背面部３ａと一体成形されて該背面部３ａを介して互いに対向している。【００２５】
上記の側板５と側板７とは、それぞれ、複数の通風口が形成された平板状を呈する板金成形体であり、背面部３ａおよび各側板部３ｂ，３ｃの側方でハウジング本体３に取り付けられて互いに対向している。側板５には、筐体４０での室外側吸込口を構成する通風口５ａと、筐体４０での室外側吹出口を構成する通風口５ｂとが形成されており、側板７には、筐体４０での室内側吸込口を構成する通風口７ａと、筐体４０での室内側吹出口を構成する通風口７ｂと、室内側吸込口または室内側吹出口の位置を変更する際に利用される予備の通風口７ｃとが形成されている。【００２６】
一方、筐体４０を構成するインナーハウジング２０は、例えばスチロール樹脂等の合成樹脂により一体成形された箱体状物であり、底板部３０側は開放面となっている。図示のインナーハウジング２０は背面部と４つの側板部とを有しており、背面部と各側板部との合わせ面には隙間がなく、背面部側を下にしてインナーハウジング２０を配置したときには当該背面部側で保水可能である。インナーハウジング２０での４つの側板部のうち、アウターハウジング１０での側板５に接する側板部には３つの通風口２０ａ〜２０ｃが、またアウターハウジング１０での側板７に接する側板部には３つの通風口２０ｄ〜２０ｆが、そして、アウターハウジング１０での側板部３ｂに接する側板部には制御装置１００を装着するための凹部２０ｈが形成されている。【００２７】
なお、図２には上記６つの通風口２０ａ〜２０ｆのうちの５つの通風口２０ｂ〜２０ｆのみが現れており、通風口２０ｄは厳密には矩形状の切欠き部である。インナーハウジング２０をアウターハウジング１０に収容した状態下では、図２に現れていない通風口２０ａがアウターハウジング１０での通風口５ａと一続きになって筐体４０での室外側吸込口になり、通風口２０ｃがアウターハウジング１０での通風口５ｂと一続きになって筐体４０での室外側吹出口となる。また、通風口２０ｄがアウターハウジング１０での通風口７ａと一続きになって室内側吸込口になり、通風口２０ｆがアウターハウジング１０での通風口７ｂと一続きになって筐体４０での室内側吹出口になる。【００２８】
筐体４０は、例えば、アウターハウジング１０にインナーハウジング２０を収容し、アウターハウジング１０に各吸込部２６ａ，２７ａおよび各吹出部２６ｂ，２７ｂを取り付け、インナーハウジング２０内に給気用送風機５０、排気用送風機６０、および熱交換器７０を取り付けた後、底板部３０をアウターハウジング１０に例えばねじ止めすることにより組み立てられる。底板部３０の内側には、スチロール樹脂等の合成樹脂で作製された第１ドレンパン部３５が予め嵌め込まれる。【００２９】
アウターハウジング１０にインナーハウジング２０を収容する前、または収容した後に、アウターハウジング１０の側板７に設けられている通風口７ｃが封止板２１ａ，２１ｂにより二重に封止される。また、当該通風口７ｃの封止前または封止後にインナーハウジング２０の凹部２０ｈに制御装置１００用のトレイ２３が挿抜自在に取り付けられる。各吸込部２６ａ，２７ａおよび各吹出部２６ｂ，２７ｂは、合成樹脂製の内筒ケースＩＣと合成樹脂製の外筒ケースＯＣとを有し、外筒ケースＯＣに内筒ケースＩＣを挿入してこれらをアウターハウジング１０にねじ（図示せず）で固定することにより取り付けられる。【００３０】
給気用送風機５０および排気用送風機６０の各々は、例えば、当該給気用送風機５０および排気用送風機６０の各々に予め形成された部品側取付け部を筐体４０の所定の取付け穴に嵌め込んだり、アウターハウジング１０の側からねじ止めしたりしてインナーハウジング２０内に取り付けられる。熱交換器７０は、第１固定部材７３および第２固定部材７５をインナーハウジング２０内に装着した後に、インナーハウジング２０内に固定される。各固定用金具ＦＢは、所望の時期にアウターハウジング１０に例えばねじ（図示せず）で固定される。【００３１】
フィルターユニット９０は、フィルター８１と、該フィルター８１を保持する第１保持枠８３と、該第１保持枠８３および熱交換器７０を保持する第２保持枠８５と、第２ドレンパン部８７と、第２保持枠８５が装着されるユニット本体８９と、該ユニット本体８９に取り付けられた把持部９０ａとを有しており、フィルター８１を底板部３０の開口部３０ｂから筐体４０内に挿入した状態で筐体４０に装着される。フィルターユニット９０の装着まで行うことにより、熱交換換気装置１１０が得られる。【００３２】
図３は、図１および図２に示した熱交換換気装置を概略的に示す断面図である。同図は、図１および図２に示した熱交換換気装置１１０を部屋の天井に設置したときの垂直断面図に相当する。図３に示す構成要素のうちで図１または図２を参照して既に説明した構成要素については、図１または図２で用いた参照符号と同じ参照符号を付してその説明を省略する。また、薄肉の部材については、一部、ハッチングの付与を省略している。【００３３】
図３に示すように、熱交換換気装置１１０を構成するインナーハウジング２０での背面部ＢＰ、すなわち底板部３０側を下にして熱交換換気装置１１０を設置したときの天面部には、熱交換器７０を装着するための取付け部１３と、給気用送風機５０および排気用送風機６０の各々に設けられた部品側取付け部や部品取付け用ねじ（図示せず）が挿入される取付け穴１５等が設けられている。図３には、給気用送付機５０での部品側取付け部５０ａが現れている。また、インナーハウジング２０での背面部ＢＰ側の保水機能を高めるために、底板部３０側を上にして熱交換換気装置１１０を床下等に設置したときに保水機能を発現するハウジング側第１保水部１７ａとハウジング側第２保水部１７ｂも背面部ＢＰに形成されている。【００３４】
上記のハウジング側第１保水部１７ａおよびハウジング側第２保水部１７ｂの各々は、背面部ＢＰを下にしてインナーハウジング２０を配置したときに凹形状を呈する。ハウジング側第１保水部１７ａは取付け部１３よりも各送風機５０，６０側に形成されて取付け穴１５の周囲に広がっており、ハウジング側第２保水部１７ｂは取付け部１３よりも各送風機５０，６０から離れる側に形成されている。取付け部１３および取付け穴１５の外周部１５ａの各々は、インナーハウジング２０での開放面側、すなわち底板部３０側に突起している。【００３５】
ハウジング側第１保水部１７ａと互いに対向するようにして、第１ドレンパン部３５が配置されている。また、ハウジング側第２保水部１７ｂと互いに対向するようにして、フィルターユニット９０の第２ドレンパン部８７が配置されている。第１ドレンパン部３５には、底板部３０側を下にして熱交換換気装置１１０を設置したときに凹形状を呈するドレンパン側第１保水部３５ａが形成されており、第２ドレンパン部８７には、底板部３０側を下にして熱交換換気装置１１０を設置したときに凹形状を呈するドレンパン側第２保水部８７ａが形成されている。【００３６】
なお、給気用送風機５０および排気用送風機６０（図１または図２参照）の各々はモータ駆動型の送風機であり、図３には給気用送風機５０のモータ４５が現れている。また、図３には、制御装置１００の構成要素、すなわち電子部品９３ａ〜９３ｃが実装された制御基板９５、該制御基板９５を周囲から電気的に分離する電気絶縁シート９７、および制御基板９５に接続された配線（図示せず）を制御装置１００から外部に引き出すためのブッシュ９９も例示されている。図３中の参照符号Ｒ1〜Ｒ4は、結露が起こり易い領域を概略的に示している。これらの領域Ｒ1〜Ｒ4については後に詳述する。【００３７】
上述した構成を有する熱交換換気装置１１０の運転時には、制御装置１００（図１または図２参照）による制御の下に給気用送風機５０および排気用送風機６０がそれぞれ動作し、給気用送風機５０により外気が筐体４０内に吸い込まれる一方で、排気用送風機６０により室内空気が筐体４０内に吸い込まれる。筐体４０内に吸い込まれた外気と室内空気とは熱交換器７０を流れる過程で熱交換を行い、熱交換器７０を流れた外気は室内側吹出口から室内に吹き出し、熱交換器７０を流れた室内空気は室外側吹出口から外部に排気される。【００３８】
図４および図５は、それぞれ、図１〜図３に示した熱交換換気装置での外気の流れと室内空気の流れとを示す模式図である。図４は、筐体４０の底板部３０側を下にして熱交換換気装置１１０（図１ないし図３参照）を設置して該熱交換換気装置１１０の内部を平面したときの模式図であり、図５は、筐体４０の底板部３０側を下にして熱交換換気装置１１０を設置して該熱交換換気装置１１０の内部を斜視したときの模式図である。【００３９】
これら図４中および図５中に矢印Ａで示すように、熱交換換気装置１１０の運転時には、外気が室外側吸込部２６ａから筐体４０内に吸い込まれ、熱交換器７０を該熱交換器７０の斜め下側から斜め上側へと流れて給気用送風機５０に達した後、ここから室内側吹出部２６ｂを通って室内に吹き出される。また、図４中および図５中に矢印Ｂで示すように、熱交換換気装置１１０の運転時には、室内空気が室内側吸込部２７ａから筐体４０内に吸い込まれ、熱交換器７０を該熱交換器７０の斜め上側から斜め下側へと流れて排気用送風機６０に達した後、ここから室該側吹出部２７ｂを通って外部に排気される。熱交換換気装置１１０の運転中は、筐体４０内に外気（給気）の風路と室内空気（排気）の風路とが形成される。【００４０】
外気の温度と室内空気の温度とは、多くの場合、互いに異なる。このため、筐体４０内では外気および室内空気の一方が他方により冷やされて結露が起こることがある。例えば、図３に示した各領域Ｒ1，Ｒ2，Ｒ3，Ｒ4、および熱交換器７０では結露が起こり易い。【００４１】
上記の領域Ｒ1はフィルターユニット９０のユニット本体８９（図３参照）の内側上部に位置しており、領域Ｒ2はユニット本体８９での上部の外側に位置している。これらの領域Ｒ1，Ｒ2では、室外側吸込部２６ａから筐体４０内に吸い込まれた外気と、室内側吸込部２７ａから筐体４０内に吸い込まれた室内空気とが、ユニット本体８９の上部を介して互いに隣接するので、外気の方が室内空気より高温の時には領域Ｒ1に、また室内空気の方が外気より高温の時には領域Ｒ2に結露が起こり易い。【００４２】
また、上記の領域Ｒ3は給気用送風機５０と排気用送風機６０（図１および図２参照）との間およびその近傍で当該各送風機５０，６０の厚さ方向中央部よりもやや上方に位置しており、領域Ｒ4は給気用送風機５０と排気用送風機６０との間およびその近傍で当該各送風機５０，６０の厚さ方向中央部よりもやや下方に位置している。これらの領域Ｒ3，Ｒ4では、熱交換器７０を通って給気用送風機５０に吸い込まれる外気の一部と熱交換器７０を通って排気用送風機６０に吸い込まれる室内空気の一部とが互いに混ざり合ったり、給気用送風機５０と排気用送風機６０との間に温度差が生じたりするので、外気の方が室内空気より高温の時には領域Ｒ3に、また室内空気の方が外気より高温の時には領域Ｒ4に結露が起こり易い。【００４３】
上記の熱交換器７０内では、室外側吸込部２６ａから筐体４０内に吸い込まれた外気の流路と室内側吸込部２７ａから筐体４０内に吸い込まれた室内空気の流路とが熱交換素子の仕切部材を介して互いに隣接するので、外気の方が室内空気より高温の時には外気（給気）の流路内に、また室内空気の方が外気より高温の時には室内空気（排気）の流路内に結露が起こり易い。【００４４】
領域Ｒ1での結露により生じた水は、主にユニット本体８９のドレンパン側第２保水部８７ａ（図３参照）により保水されて自然乾燥される。また、領域Ｒ2での結露により生じた水の一部はその場に溜まって自然乾燥され、残りの水は室内空気と共に熱交換器７０を流れてドレンパン側第１保水部３５ａ（図３参照）に保水される。熱交換器７０内の外気（給気）の流路内での結露により生じた水は、主にユニット本体８９のドレンパン側第２保水部８７ａに流れて保水され、自然乾燥される。熱交換器７０内の室内空気（排気）の流路内での結露により生じた水は、室内空気と共にドレンパン側第１保水部３５ａに流れて保水される。そして、各領域Ｒ3，Ｒ4での結露により生じた水の各々は、その一部が自然乾燥され、残りの水がドレンパン側第１保水部３５ａに保水される。ドレンパン側第１保水部３５ａに保水された水は、底板部３０に設けられた各第２ドレン水排出部３０ａ，３０ａ（図１参照）からドレン配管（図示せず）に流れて外部に排出される。【００４５】
熱交換換気装置１１０を部屋の天井に設置したときには、結露により生じた水が上述のように自然乾燥または保水され、保水された水は各ドレン水排出部３０ａ，３０ａから外部に排出されるので、装置外への漏水を防止し易い。また、熱交換換気装置１１０では、該熱交換換気装置１１０を部屋の床下に設置したときでも、インナーハウジング２０（図２および図３参照）の背面部ＢＰ側で保水可能であり、さらには当該背面部ＢＰにハウジング側第１保水部１７ａおよびハウジング側第２保水部１７ｂが形成されているので、装置外への漏水を防止し易い。以下、本発明の熱交換換気装置を構成するインナーハウジングの保水機能について、図６および図７を参照して詳述する。【００４６】
図６は、本発明の熱交換換気装置を構成するインナーハウジングの他の例を概略的に示す斜視図であり、図７は、図６に示したインナーハウジングを概略的に示す断面図である。図６は、インナーハウジングでの背面部側を下にして当該インナーハウジングを斜視した図であり、図７は、インナーハウジングでの背面部側を下にしたときの当該インナーハウジングの縦断面を示している。【００４７】
これらの図に示すインナーハウジング２０Ａは、側壁部での通風口の配置パターンや熱交換器を固定するための第１固定部材７３、第２固定部材７５の形状等が図２および図３に示したインナーハウジング２０と多少異なる以外は、インナーハウジング２０と同様の構成を有している。インナーハウジング２０におけるのと同様に、インナーハウジング２０Ａでは背面部ＢＰと４つの側板部ＳＰ（図６参照）とが一体成形されているので、背面部ＢＰ側を下にしてインナーハウジング２０Ａを配置したときには背面部ＢＰ側で保水可能である。また、背面部ＢＰに凹形状のハウジング側第１保水部１７ａとハウジング側第２保水部１７ｂとが形成されているので、高い保水機能を付与し易い。なお、図６および図７においては、図２または図３を参照して既に説明した構成要素と機能が共通する構成要素に図２または図３で用いた参照符号と同じ参照符号を付してある。【００４８】
上述したインナーハウジング２０Ａあるいはインナーハウジング２０を備えた熱交換換気装置１１０（図１および図２参照）では、各ドレンパン部（第１ドレンパン部３５および第２ドレンパン部８７）側を下にして部屋の天井に設置したときに、結露により生じた水をドレンパン側第１保水部３５ａとドレンパン側第２保水部８７ａ（図３参照）とに溜めることができる。そして、ドレンパン側第１保水部３５ａに保水された水は、底板部３０に設けられた各第２ドレン水排出部３０ａ，３０ａ（図１参照）からドレン配管（図示せず）に流れて外部に排出される。【００４９】
また、各ドレンパン部（第１ドレンパン部３５および第２ドレンパン部８７）側を上にして部屋の床下に設置したときには、結露により生じた水をインナーハウジング２０の背面部ＢＰ（図３、図６、および図７参照）側、具体的にはハウジング側第１保水部１７ａとハウジング側第２保水部１７ｂとに溜めることができる。そして、ハウジング側第１保水部１７ａおよびハウジング側第２保水部１７ｂに溜まった水は、インナーハウジング２０の側壁部に取り付けられて該インナーハウジング２０内、具体的にはハウジング側第１保水部１７ａおよびハウジング側第２保水部１７ｂに連通する第１ドレン水排出部２９（図１参照）からドレン配管（図示せず）に流れて外部に排出される。【００５０】
したがって、熱交換換気装置１１０では、部屋の天井および床下のいずれに設置した場合でも漏水を防止することができる。また、筐体４０は、アウターハウジング１０内にインナーハウジング２０（図２参照）を収容し、インナーハウジング２０の背面部ＢＰと互いに対向する向きで各ドレンパン部を取り付けることで容易に組立て可能であるので製造し易い。さらには、インナーハウジング２０，２０Ａの開放面側、すなわち底板部３０側から熱交換器７０やフィルター８１の点検、修理、交換等のメインテナンス作業を行うことができるので、部屋の天井および床下のいずれに設置する場合でも、インナーハウジング２０，２０Ａでの開放面側を室内側にして設置することでメインテナンス作業を容易に行うことが可能になる。古い熱交換器７０やフィルター８１を回収して廃棄することも容易になる。【００５１】
例えば、前述した特許文献１の熱交換換気装置を床下に設置するにあたってメインテナンス作業が容易になるように天地を逆にして設置すると、結露により生じた水が筐体内に溜まり、やがて本体ケーシングと側板との間から装置外に漏れだして建物に害を与えることがあるが、熱交換換気装置１１０では、上述のように、部屋の床下に設置した場合でも漏水を防止し易い。特許文献１の熱交換換気装置と上述の熱交換換気装置１１０との構成の相違について、以下、図１１を参照して具体的に説明する。【００５２】
図１１は、特許文献１の熱交換換気装置の一形態を概略的に示す分解斜視図である。同図に示す熱交換換気装置３１０では、天面部と２つの側板部とが一体成形された本体ケーシング２０３と、該本体ケーシング２０３にフレーム２０６を介して取り付けられる２つの側板２０８と、本体ケーシングに取り付けられる底板部２３０とにより筐体２４０が構成され、底板部２３０での内側にドレンパン部２３５が嵌め込まれている。【００５３】
各側板２０８には所定数の通風口が設けられ、一方の側板２０８には室外側吸込部２２６ａと室外側吹出部２２７ｂとが、また他方の側板２０８には室内側吹出部２２６ｂと室内側吸込部２２７ａとが取り付けられる。また、本体ケーシング２０３の天面部の内側には仕切り板２０２が取り付けられる。給気用送風機２５０と排気用送風機２６０とは、仕切り板２０２を介して筐体２４０内に並列配置され、熱交換器２７０は、筐体２４０内に固定配置されるエレメントボックス２７２に装着される。熱交換器２７０での底板部２３０側にはフィルター２８１が配置され、その外側には、結露により生じた水を受ける受け皿２９５がドレンパン部２３５と並んで配置される。【００５４】
この熱交換換気装置３１０での筐体２４０は、上述した熱交換換気装置１１０でのインナーハウジング２０（図２参照）を有しておらず、上記の本体ケーシング２０３が熱交換換気装置１１０でのハウジング本体２５（図２参照）に相当する。このため、メインテナンス作業が容易になるように天地を逆にして部屋の床下に設置すると、底板部２３０側が上方に位置することになってドレンパン部２３５および受け皿２９５が機能しなくなる。【００５５】
結果として、結露により生じた水が筐体２４０内に溜まり、やがて本体ケーシング２０３と側板２０８との間から装置外に漏れだして建物に害を与えることがある。本体ケーシング２０３と側板２０８との間からの漏水を防止するためには、これらを互いに水密に接合するかシーリング剤等を塗工しなければならず、筐体４０の製造に多くの手間を要することになる。これに対し、熱交換換気装置１１０では、アウターハウジング１０内にインナーハウジング２０（図２参照）を収容し、インナーハウジング２０の背面部ＢＰ（図３、図６、および図７参照）と互いに対向する向きで各ドレンパン部（第１ドレンパン部３５および第２ドレンパン部８７）を取り付けることで筐体４０（図２参照）を組立て可能であり、部屋の天井および床下のいずれに設置した場合でも漏水を防止し易い。【００５６】
比較的多量の水がハウジング側第１保水部１７ａまたはハウジング側第２保水部１７ｂ（図３、図６、および図７参照）に保水されたときでも漏水を防止することができるようにするうえからは、給気用送風機５０や排気用送風機６０（図２参照）をインナーハウジング２０に取り付けた箇所からの漏水も防止することが好ましい。【００５７】
図８（ａ）は、上述した熱交換換気装置１１０での部品側取付け部と取付け穴それぞれの形状の一例を概略的に示す断面図であり、図８（ｂ）は、図８（ａ）に示した部品側取付け部を取付け穴に取り付けた状態を概略的に示す断面図である。同図に示す部品側取付け部は、給気用送風機５０に設けられている部品側取付け部５０ａであり、取付け穴はインナーハウジング２０に設けられている取付け穴１５である（図３も参照）。【００５８】
これら図８（ａ）および図８（ｂ）に示す部品側取付け５０ａは筒形状を呈するねじ受けであり、先端側の外径が漸次小さくなっている。一方、取付け穴１５は、アウターハウジング１０（図３参照）側の内径が漸次小さくなった領域を含んでいる。給気用送風機５０をインナーハウジング２０に取り付けるにあたっては、まず、図８（ｂ）に示すように部品側取付け部５０ａを取付け穴１５に挿入、具体的には圧入する。この後、インナーハウジング２０側からねじ止めする。【００５９】
このようにして給気用送風機５０をインナーハウジング２０に取り付けると、部品側取付け５０ａの外周面が取付け穴１５の内壁に密着することから、給気用送風機５０の取り付けた箇所からの漏水も防止することができる。インナーハウジング２０への排気用送風機６０（図２参照）の取付けも、給気用送風機５０の取付けと同様にして行うことが好ましい。なお、図８（ａ）中および図８（ｂ）中の参照符号「１７ａ」は、ハウジング側第１保水部を示している。【００６０】
また、給気用送風機５０および排気用送風機６０の各々は、モータをインナーハウジング２０およびドレンパン部、具体的には第１ドレンパン部３５のいずれからも離隔させて配置することが好ましい。このようにして給気用送風機５０および排気用送風機６０の各々を配置することにより、熱交換換気装置１１０を部屋の天井および床下のいずれに設置した場合でも、第１ドレンパン部３５に溜まった水、あるいはインナーハウジング２０に溜まった水がモータに浸入してしまうことを防止し易くなる。【００６１】
図９は、本発明の熱交換換気装置の他の例を概略的に示す断面図であり、図１０は、図９に示した熱交換換気装置を概略的に示す他の断面図である。これらの図に示す熱交換換気装置１１０Ａは、図１および図２に示した熱交換換気装置１１０と略同じ構成を有している。図９または図１０に示した構成要素のうちで図１、図２、または図３に示した構成要素と共通するものについては、図１、図２、または図３で用いた参照符号と同じ参照符号を付してその説明を省略する。また、薄肉の部材については、一部、ハッチングの付与を省略している。【００６２】
図９に示すように、熱交換換気装置１１０Ａでは、給気用送風機５０のモータ４３が第１ドレンパン部３５に接することなく該第１ドレンパン部３５から離隔して取り付けられている。同図中の参照符号「４５」は給気用送風機５０を構成するシロッコファンを示しており、参照符号「４７」は給気用送風機５０でのケーシングを示しており、参照符号「５３」は排気用送風機６０のモータを示している。【００６３】
また、図１０に示すように、熱交換換気装置１１０Ａでは、排気用送風機６０のモータ５３がインナーハウジング２０に接することなく該インナーハウジング２０から、具体的には背面部ＢＰから離隔して取り付けられている。同図中の参照符号「５５」は排気用送風機６０を構成するシロッコファンを示しており、参照符号「５７」は排気用送風機６０でのケーシングを示している。【００６４】
給気用送風機５０と排気用送風機６０とが上述のように取り付けられている熱交換換気装置１１０Ａでは、該熱交換換気装置１１０Ａを部屋の天井および床下のいずれに設置した場合でも、第１ドレンパン部３５に溜まった水、あるいはインナーハウジング２０に溜まった水がモータ４３，５３に浸入してしまうことを防止し易い。また、給気用送風機５０のモータ４３と第１ドレンパン部３５との間の隙間、および排気用送風機６０のモータ５３とインナーハウジング２０の背面部ＢＰとの間の隙間をそれぞれ略同じ広さ（間隔）にすると、当該熱交換換気装置１１０Ａを部屋の天井に設置した場合と床下に設置した場合とで略同等の安全性を確保し易くなる。【００６５】
以上、本発明の熱交換換気装置について実施の形態を挙げて説明したが、前述のように、本発明は上述の形態に限定されるものではない。本発明の熱交換換気装置は、１つの開放面を有すると共に該開放面と互いに対向する背面部を下にして配置したときに該背面部側で保水可能な箱体状のインナーハウジングと、インナーハウジングの背面部と互いに対向する向きでインナーハウジングでの開放面側に配置されたドレンパン部とを有していれば基本的によく、当該熱交換換気装置の具体的構成は適宜選定可能である。【００６６】
例えば、インナーハウジングの背面部に凹形状の保水部を設けるか否かは適宜選択可能であり、凹形状の保水部を設ける場合の該保水部の総数も、筐体内で結露が生じ易い箇所の分布を考慮して、１以上の所望数とすることができる。また、インナーハウジングでの開放面側に配置されるドレンパン部の総数も、筐体内で結露が生じ易い箇所の分布を考慮して適宜選択可能である。【００６７】
給気用送風機と排気用送風機とは、筐体内での室外側および室内側の一方に並列配置することもできるし、熱交換器を挟んで室外側と室内側とに分散配置することもできる。当該給気用送風機および排気用送風機の配置は、筐体内に形成しようとする給気風路と排気風路それぞれの形態に応じて適宜選定可能である。また筐体内に溜めることができる水分は結露より生じた水だけではなく、室内側吸込部から筐体内に吸い込まれた浴室の湿気雰囲気中の水分等、室内空気に含まれる水分（水滴）も結露より生じた水と同様に保水可能である。本発明の熱交換換気装置については、上述した以外にも種々の変形、修飾、組み合わせ等が可能である。
【産業上の利用可能性】
【００６８】
本発明の熱交換換気装置は、家庭用または業務用の熱交換換気装置として好適に用いることができる。
【符号の説明】
【００６９】
１０  アウターハウジング
１３  熱交換器を装着するための取付け部
１５  取付け穴
１５ａ  取付け穴の外周部
１７ａ  ハウジング側第１保水部
１７ｂ  ハウジング側第２保水部
２０，２０Ａ  インナーハウジング
２５  ハウジング本体
２６ａ  室外側吸込部
２６ｂ  室内側吹出部
２７ａ  室内側吸込部
２７ｂ  室外側吹出部
２９  第１ドレン水排出部
３０  底板部
３０ａ  第２ドレン水排出部
３５  第１ドレンパン部
３５ａ  ドレンパン側第１保水部
４０  筐体
４３  給気用送風機のモータ
５０  給気用送風機
５０ａ  部品側取付け部
５３  排気用送風機のモータ
６０  排気用送風機
６３  熱交換素子
６５  枠体
７０  熱交換器
８１  フィルター
８３  第１保持枠
８５  第２保持枠
８７  第２ドレンパン部
８７ａ  ドレンパン側第２保水部
９０  フィルターユニット
１００  制御装置
１１０，１１０Ａ  熱交換換気装置
ＢＰ  インナーハウジングの背面部
【図１】
2010125632.tif 000003
【図２】
2010125632.tif 000004
【図３】
2010125632.tif 000005
【図４】
2010125632.tif 000006
【図５】
2010125632.tif 000007
【図６】
2010125632.tif 000008
【図７】
2010125632.tif 000009
【図８】
2010125632.tif 000010
【図９】
2010125632.tif 000011
【図１０】
2010125632.tif 000012
【図１１】
2010125632.tif 000013
【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
室外側吸込部、室内側吹出部、室内側吸込部、および室外側吹出部が設けられた筐体内に給気用送風機と排気用送風機と熱交換器とが配置され、前記給気用送風機により前記室外側吸込部から前記筐体内に吸い込んだ外気と前記排気用送風機により前記室内側吸込部から前記筐体内に吸い込んだ室内空気との間で前記熱交換器により熱交換を行いながら換気し、結露により生じた水を前記筐体内に溜めることができる熱交換換気装置であって、
前記筐体は、
１つの開放面を有する箱体形状を呈し、前記開放面と対向する背面部と、該背面部の周囲に立設された側板部とが一体成形されたインナーハウジングと、
該インナーハウジングでの前記開放面側に配置されたドレンパン部と、
を有し、
前記背面部の内側面には、凹形状を呈するハウジング側保水部が形成され、
前記ハウジング側保水部には、前記背面部を貫通する取付け穴と、前記取付け穴の周囲を囲んで前記開放面側に突起する外周部とが形成されていることを特徴とする熱交換換気装置。
【請求項２】
前記背面部の内側面から前記取付け穴に挿入される部品側取付け部をさらに備え、
前記取付け穴は、前記背面部の内側面から外側面に向けて内径が小さくなり、
前記部品取付け部は、筒形状を呈するねじ受けであり、前記取付け穴に挿入される一端側に向けて外形が小さくなることを特徴とする請求項１に記載の熱交換換気装置。
【請求項３】
前記側板部に取り付けられて該インナーハウジング内に連通するドレン水排出部を更に有することを特徴とする請求項１または２に記載の熱交換換気装置。
【請求項４】
前記給気用送風機および前記排気用送風機の各々はモータ駆動型の送風機であり、
前記給気用送風機のモータおよび前記排気用送風機のモータの各々は、前記インナーハウジングおよび前記ドレンパン部のいずれとも離隔している、
ことを特徴とする請求項１〜３のいずれか１つに記載の熱交換換気装置。
【国際調査報告】
2010125632.tif 000014
2010125632.tif 000015